(57)【要約】【課題】キャップのクリップ突出長さを長くしないで、キャップ径より容器本体外径が大きくなっても、転がりにくい塗布具を提供すること。【解決手段】棒状の容器前方に塗布先を配置し、この塗布先を保護するための、クリップを有した有底筒状で着脱自在なキャップを配置すると共に、前記容器はキャップよりも外径が大きく、かつ、容器外径よりもキャップのクリップが外径方向に突出する形態となした塗布具において、前記容器外周に１カ所以上の突起による転がり抑制部を設けたことを特徴とする塗布具。【選択図】    図１
2004202946.tif 000002
【特許請求の範囲】
【請求項１】
棒状の容器前方に塗布先を配置し、この塗布先を保護するための、クリップを有した有底筒状で着脱自在なキャップを配置すると共に、前記容器はキャップよりも外径が大きく、かつ、容器外径よりもキャップのクリップが外径方向に突出する形態となした塗布具において、前記容器外周に１カ所以上の突起による転がり抑制部を設けたことを特徴とする塗布具。
【請求項２】
外周にラベルを貼付した棒状の容器前方に塗布先を配置し、この塗布先を保護するための、クリップを有した有底筒状で着脱自在なキャップを配置すると共に、容器はキャップよりも外径が大きく、かつ、容器外径よりもキャップのクリップが外径方向に突出する形態となした塗布具において、前記容器外周に貼りつけたラベルに１カ所以上の膨らみ印刷による転がり抑制部を設けたことを特徴とする塗布具。
【請求項３】
前記クリップの両脇に突起による転がり抑制部を設けたことを特徴とする請求項１、或いは、請求項２に記載の塗布具。
【請求項４】
前記抑制部を印刷によって形成したことを特徴とする請求項１〜請求項３の何れかに記載の塗布具。
【発明の詳細な説明】
【０００１】
【発明の属する技術分野】
本発明は、塗布液内蔵の直液式の塗布具や、インキ吸蔵体にインキを含浸させて塗布先にインキを供給する中綿式の塗布具に関する。
【０００２】
【従来の技術】
従来の塗布具は、塗布液を内蔵した容器本体と、この塗布液を塗布するために容器本体の先端に取り付けた塗布先と、この塗布先の乾燥防止及び保護を目的とする着脱容易なキャップとで構成したものが知られている。そして、そのキャップには、携帯に便利なように、クリップが設けられており、そのクリップは、一般的に容器本体の外径よりも突出している。そのため、机上などに置かれても転がり難いものとなっている（特許文献１参照）。
【０００３】
【特許文献】
実開平７−０１７３７０号（図１）
【０００４】
【発明が解決しようとする課題】
キャップ部品を共通にして、塗布液容量を多くした、別の種類の容器本体を提供しようとする場合には、キャップよりも外径を大きくした容器本体が採用される。キャップよりも外径を大きくした容器本体にすると、キャップからのクリップ突出長さが一定なので、キャップ外径よりも容器本体が大きくなればなる程、転がり防止のためのクリップ突出長さは短くなり、塗布具が転がり易くなってしまう。
そこで、容器本体の大径化に伴い、キャップからのクリップの突出長さを長くしても良いが、キャップ部品の共通化が出来なくなってしまう。即ち、容器の外径ごとにキャップも形成しなければならないのである。また、クリップの突出長さが長くなり過ぎると、携帯や収納時に、突出部が邪魔になったり、突出部がポケット等の収納部以外に引っ掛かりやすくなったり、収納性が劣ってしまうと云う問題があった。
本発明は、キャップのクリップ突出長さを長くしないで、キャップ径より容器本体外径が大きくなっても、転がりにくい塗布具を提供することを課題とする。
【０００５】
【課題を解決するための手段】
本発明は、棒状の容器前方に塗布先を配置し、この塗布先を保護するための、クリップを有した有底筒状で着脱自在なキャップを配置すると共に、前記容器はキャップよりも外径が大きく、かつ、容器外径よりもキャップのクリップが外径方向に突出する形態となした塗布具において、前記容器外周に１カ所以上の突起による転がり抑制部を設けたことを第１の要旨とし、外周にラベルを貼付した棒状の容器前方に塗布先を配置し、この塗布先を保護するための、クリップを有した有底筒状で着脱自在なキャップを配置すると共に、容器はキャップよりも外径が大きく、かつ、容器外径よりもキャップのクリップが外径方向に突出する形態となした塗布具において、前記容器外周に貼りつけたラベルに１カ所以上の膨らみ印刷による転がり抑制部を設けたことを第２の要旨とする。
【０００６】
【実施例】
以下、本発明について添付図面を参照しながら、更に詳細に説明する。
図１、図２に第一実施例を示す。図１はキャップのみ断面でキャップ以外は外観を示した正面図を示し、図２は図１塗布具の上面図を示す。
参照符号１は、先端が開口した、有底筒状の容器本体である。この容器本体１の内部は塗布液収容室となっていて、外径部後端には周状に等間隔に６箇所の突起である転がり抑制部１ａを設けている。容器本体１の後方には２段状に縮径した後中筒部１ｂと後小筒部１ｃを設けている。後小筒部１ｃの外径には、４本のリブを設けて後述するキャップ４を嵌められるようにしている。具体的に、容器本体１の外径部径は２０．２０±０．３０ｍｍ、転がり抑制部１ａの突起高さは１．００±０．２０ｍｍ、転がり抑制部１ａの突起軸方向長さは４．００±０．３０ｍｍとなっている。
容器本体１の前方には、全体が略筒状の前軸２を配置している。この前軸２は、前方から後方に向け、小筒状部２ａ、中筒状部２ｂ、大筒状部２ｃと、外形を段状に膨らむように形成したものである。前軸２の大筒状部２ｃ外面には、軸方向前後に伸びるローレット模様を施し、前方から後方に少し太くなるようなテーパー状にしている。前軸２の大筒状部２ｃ内面と容器本体１前方外面とで、螺合方式で結合させている。具体的には、前軸２の大筒状部２ｃの前端径が１５．２０±０．２０ｍｍ、大筒状部２ｃの後端径が１５．４０±０．２０ｍｍとなっている。
【０００７】
前軸２の小筒状部２ａ前方には、先端内側から一部前方に突出するように、前後方向に多数の樹脂製繊維の各繊維向きを揃え、この多数の繊維同士を熱硬化性樹脂などで部分的に接着して連続気孔を形成した、先端がチズル形の塗布先３を配置している。
塗布先３から、後方の前軸２の中筒状部２ｂ迄を覆うようにして、略有底筒状のキャップ４を配置している。キャップ４外周の後方には３本の周状突起部４ａを設けている。さらに、キャップ４と一体にクリップ４ｂを設けている。このクリップ４ｂは、キャップ４の前方外周の１点から外径方向に伸び、その後、前後の双方向に略板状に伸びるように設けている。クリップ４ｂは、上面から見て（図２参照）中央が挿着方向と平行に膨出した形態となるようにしている。
キャップ４は前軸２の中筒状部２ｂとで、着脱容易なように各々凹凸リブが形成されており、乗り越え嵌合させている。前記キャップ４の周状突起部４ａは、キャップ４を外す時の手掛かりとなるように設けているものである。
具体的に、キャップ４の周状突起部４ａの径は１６．００±０．２０ｍｍ、クリップ４ｂの幅は７．００±０．２０ｍｍ、クリップ４ｂの突出高さは周状突起部４ａの径から４．６０±０．２０ｍｍ、クリップ４ｂの膨出形で曲面となす半径は５．００±０．３０ｍｍとなっている。
故に、容器本体１の外径部径は、キャップ４の周状突起部４ａの外径より４．２０ｍｍ大きく、また、容器本体１の外径部径からのキャップ４のクリップ４ｂの突出高さは２．５０ｍｍとなっている。
尚、本実施例は、既存の製品の一部部品を変更して、別種の製品を提供しようとするものである。既存の製品との差異事項は、既存の製品より、筆跡が広くなるように塗布先３を太くし、かつ、塗布液内蔵量を増やせるように、容器本体１の外径部径を広げたものであり、キャップ４のクリップ４ｂは既存の製品とは変更のないものである。
【０００８】
【作用】
前記第一実施例、即ち、キャップ４のクリップ４ｂの突出長さを長くしなくても、キャップ４の径より容器本体１の外径が大きい塗布具でも、以下のように転がりにくくなる。
先ず、従来技術で示したように、キャップ４のクリップ４ｂが容器本体１の外径部よりも突出しているので、塗布具の転がり性を抑制する。さらに加えて、容器本体１の外径部後端には、周状に等間隔に６箇所の突起である転がり抑制部１ａを設けているので、キャップ４のクリップ４ｂの転がり抑制との相乗効果で、塗布具の転がり性を抑制するものである。
容器本体１の転がり抑制部１ａである突起は、容器本体１の中央から前方に設けても、転がり抑制効果は同様である。しかるに、容器本体１の転がり抑制部１ａの突起により、塗布具使用時での把持感が、ゴツゴツした良くない感触となってしまう。故に、容器本体１の転がり抑制部１ａは、塗布具使用時での把持位置以外となるように、容器本体１の後方に設けたものでもある。尚、容器本体１の転がり抑制部１ａである突起は、突出高さを高くすればする程、塗布具の転がり性を抑制するものであるが、前述したようにポケット等への製品納まり性や、容器本体１の成形性等を配慮すると、極端には高くしないほうが良いものである。
また、容器本体１の転がり抑制部１ａである突起は、容器本体１後方の一部が突出するような、例えば、多角形で五角形などのような稜線状に設けても良い。
【０００９】
図３に第二実施例を示す。図３は外観正面図を示す。
前軸２、キャップ４は、第一実施例と同一である。
容器本体１１は、第一実施例の容器本体１の転がり抑制部１ａを除いたものであり、その構成以外は、第一実施例の容器本体１と同じである。
容器本体１１の外径部周囲には、裏面に接着性質のあるラベル５を貼りつけてある。ラベル５後方には、膨らみインキを用いた膨らみ印刷による、多数箇所に転がり抑制部５ａを設けたものである。
【００１０】
第二実施例での塗布具の転がり抑制効果は、第一実施例の容器本体１の突起による転がり抑制部１ａを、ラベル５を介した膨らみ印刷による転がり抑制部５ａに代替したものであり、第一実施例と同様である。
さらに、本実施例では、膨らみ印刷による転がり抑制部５ａを、印刷柄による種々の意匠で提供できるので、キャラクターグッズ類にも向くものである。又、膨らみインキによる弾性力も発生するので、落下させてしまった場合などの衝撃吸収ともなる。他にも、印刷特性を生かして、製品特徴や取扱注意事項を膨らみ印刷部に表示させて、より製品をアピールすることができる。又、ラベル柄変更のみで良いので、小ロット特注製品の受注・生産がし易いものである。
【００１１】
図４に第三実施例を示す。図４は外観正面図を示す。
前軸２とキャップ４は第一実施例と同様で、容器本体１１は第二実施例と同様である。
容器本体１１の外径部周囲の後方には、膨らみインキを用いた膨らみ印刷により、多数箇所に転がり抑制部６を設けたものである。
第三実施例での塗布具の転がり抑制効果は、第一実施例の容器本体１の突起による転がり抑制部１ａを、膨らみ印刷による転がり抑制部６に代替したものであり、第一実施例と同様である。
【００１２】
図５〜図７に第四実施例を示す。
図５はキャップのクリップを正面に向け、後方を切り欠いた外観の正面図を示し、図６は図５塗布具の上面図を示し、図７は机上に置かれた塗布具の図６相当図を示す。図８は机上に置かれた第二実施例のラベル５を除いた場合の塗布具の図７との比較図を示す。
前軸２は第一実施例と同一で、容器本体１１は第二実施例と同一である。
キャップ２４のクリップ２４ｂの前方左右位置に、２箇所の外周方向に突出し軸方向に伸びるリブ状の転がり抑制部２４ｃを設けたものである。故に、第一実施例のキャップ４に、転がり抑制部２４ｃを追加するように設けたものでもある。具体的に、キャップ２４の転がり抑制部２４ｃのリブ高さは０．４０±０．１０ｍｍ、転がり抑制部２４ｃのリブ長さは１４．５０±０．３０ｍｍとなっている。
【００１３】
第四実施例での、塗布具の転がり抑制効果を、図７と図８を比較して説明する。
図７のＳは水平な机上面を示す。塗布具が転がらない範囲は、キャップ２４の軸心を中心として、クリップ２４の転がり抑制部２４ｃであるリブが机上面に接触する位置から、二点鎖線（想像図）で示すクリップが左右反対位置にあるときの角度範囲Ｋ（非回転角度）で示される。本実施例では、この非回転角度Ｋは７２度である。比較図８の非回転角度Ｋ´は、転がり抑制部がなく、クリップ４ｂの左右端が机上面に接触するので、６１度となってしまう。キャップ２４の転がり抑制部２４ｃにより、非回転角度Ｋは１１度広がり、非回転角度Ｋが広がった分、塗布具の転がり性を抑制するものである。
又、図８で示すように、キャップ４のクリップ４ｂの中央が膨出した曲面形状の場合、クリップ４ｂの左右端は、机上面に対して接線状に接触する状態にある。つまり、机上面で転がっている塗布具が、キャップ４のクリップ４ｂの左右端に当接しても、同部位が机上面に対して接線状に接触する状態にあるので、塗布具の転がり慣性はあまり減衰されないのである。即ち、塗布具の転がり慣性は、クリップ４ｂの中央が膨出した形状を乗り越える抵抗のみしか減衰されないのである。以上より、塗布具のクリップの形状は、塗布具が転がった時の転がり慣性を減衰させやすくするためにも、机上面に対して接線状に接触する形状にしないほうが良いと云える。
【００１４】
【発明の効果】
本発明の塗布具は、棒状の容器前方に塗布先を配置し、この塗布先を保護するための、クリップを有した有底筒状で着脱自在なキャップを配置すると共に、前記容器はキャップよりも外径が大きく、かつ、容器外径よりもキャップのクリップが外径方向に突出する形態となした塗布具において、前記容器外周に１カ所以上の突起による転がり抑制部を設けたことを第１の要旨とし、外周にラベルを貼付した棒状の容器前方に塗布先を配置し、この塗布先を保護するための、クリップを有した有底筒状で着脱自在なキャップを配置すると共に、容器はキャップよりも外径が大きく、かつ、容器外径よりもキャップのクリップが外径方向に突出する形態となした塗布具において、前記容器外周に貼りつけたラベルに１カ所以上の膨らみ印刷による転がり抑制部を設けたことを第２の要旨としているので、キャップのクリップ突出長さを長くしないで、キャップ径より容器本体の外径が大きくなっても、塗布具を転がりにくくすることができるものである。
【図面の簡単な説明】
【図  １】第一実施例正面図である。
【図  ２】図１の上面図である。
【図  ３】第二実施例の外観正面図である。
【図  ４】第三実施例の外観正面図である。
【図  ５】第四実施例の要部外観正面図である。
【図  ６】図５の上面図である。
【図  ７】図６の塗布具を机上に置いた状態図である。
【図  ８】比較図であり、第二実施例のラベルを除いた場合の塗布具を机上に置いた状態図である。
【符号の説明】
１      容器本体
１ａ    転がり抑制部
１ｂ    後中筒部
１ｃ    後小筒部
１１      容器本体
２      前軸
２ａ    小筒状部
２ｂ    中筒状部
２ｃ    大筒状部
３      塗布先
４      キャップ
４ａ    周状突起部
４ｂ    クリップ
２４      キャップ
２４ｂ    クリップ
２４ｃ    転がり抑制部
５      ラベル
５ａ    転がり抑制部
６      転がり抑制部
Ｓ      机上面
Ｋ      非回転角度
Ｋ´    非回転角度
【図１】
2004202946.tif 000003
【図２】
2004202946.tif 000004
【図３】
2004202946.tif 000005
【図４】
2004202946.tif 000006
【図５】
2004202946.tif 000007
【図６】
2004202946.tif 000008
【図７】
2004202946.tif 000009
【図８】
2004202946.tif 000010